(57)【要約】【課題】居室の床に敷設された床温調パネルとの間で配管を介して温調水を循環させる床暖房装置用室外機であって、筐体内部への放火や小動物の侵入を確実に防止可能な床暖房装置用室外機を提供する。【解決手段】床暖房装置用室外機１は、複数の床温調パネル２との間で温調水８を循環させるための配管３が接続される接続部４、６を内部に有し、接続部４、６に接続された配管３を外部へ取り出すための取出口５１ａが形成された筐体５１と、取出口５１ａの周辺に配置され、配管３を通過させるための配管押え板５８と、取出口５１ａの周辺に配置され、配管押え板５８と共に取出口５１ａを覆うカバー部材５９とを備えており、配管押え板５８は、互いに異なる大きさの切り欠き部６０、６１を有しており、カバー部材５９は、切り欠き部６０、６１のうちで配管が通過しない切り欠き部を閉塞するように構成されている。【選択図】図５
2009299973.tif 000002
【特許請求の範囲】
【請求項１】
複数の床温調パネルとの間で温調水を循環させるための配管が接続される接続部を内部に有し、前記接続部に接続された配管を外部へ取り出すための取出口が形成された筐体と、
前記筐体の前記取出口の周辺に配置され、前記配管を通過させるための配管押え板と、
前記筐体の前記取出口の周辺に配置され、前記配管押え板と共に前記取出口を覆うカバー部材とを備えており、
前記配管押え板は、互いに異なる大きさの複数の切り欠き部を有しており、  
前記カバー部材は、前記複数の切り欠き部のうちで前記配管が通過しない切り欠き部を閉塞するように構成されていることを特徴とする床暖房装置用室外機。
【請求項２】
前記配管押え板は、矩形状であって、
その一端及び前記一端と対向した他端には、それぞれ、前記切り欠き部が形成されると共に前記筐体に対して取り付けるための取り付け部が形成されていることを特徴とする請求項１に記載の床暖房装置用室外機。
【請求項３】
前記配管押え板は、正方形状であって、
その４つの端部には、それぞれ、前記切り欠き部が形成されると共に前記筐体に取り付けるための取り付け部が形成されていることを特徴とする請求項１に記載の床暖房装置用室外機。
【発明の詳細な説明】
【技術分野】
【０００１】
本発明は、居室の床に敷設された床温調パネルとの間で配管を介して温調水を循環させる床暖房装置用室外機に関する。
【背景技術】
【０００２】
近年、室内環境を良好に保つための設備として、空気調和装置だけでなく、床暖房を行う床暖房システムが普及しつつある。このような床暖房システムは、居室の床に敷設された床暖房パネルと、経路内を循環する循環水を加熱するための水熱交換器と、経路内の循環水が温度差によって膨張する体積分を吸収するための貯蔵タンクと、経路内の循環水を循環させる循環ポンプを有している。そして、床暖房パネルに設けられた配管に加熱した循環水を循環させることによって床暖房が行われ、この循環の繰り返しによって暖房運転が続行される。
【０００３】
このような床暖房システムを設置する場合、床暖房パネルは室内の床面に配置されるが、床暖房パネル以外の各構成部品は床暖房装置用室外機として一体的に構成され、屋外に配置される。この床暖房装置用室外機は、循環水の循環供給に関する機能部品として膨張タンクや循環ポンプを含み、また循環水の加熱または冷却に関する機能部品として圧縮機や減圧機構や水熱交換器や空気熱交換器を含んで構成される。
【０００４】
また、このような床暖房装置用室外機は、複数の床温調パネルとの間で循環水を循環させるための配管が接続される接続部が内部に形成され、接続部に接続された配管を外部へ取り出すための取出口が形成された筐体を有している。このような取出口は、例えば配管８本分に合わせて予め設計される（例えば、特許文献１）。
【０００５】
【特許文献１】特開２００１−３３６７８７号公報
【発明の開示】
【発明が解決しようとする課題】
【０００６】
ところで、上述した取出口は、筐体内部への放火や小動物の侵入を防ぐために、その隙間を小さくすることが望ましい。しかしながら、循環水を循環させる配管の本数は、床温調パネルの設置面積や設置場所によって２〜８本に変化する。よって、配管８本に合わせて形成された取出口から配管２本のみを取り出すような場合、配管が通過しないスペースに隙間が形成される。このような場合、筐体内部への放火や小動物の侵入を十分に防止できないという問題があった。
【０００７】
本発明の目的は、居室の床に敷設された床温調パネルとの間で配管を介して温調水を循環させる床暖房装置用室外機であって、筐体内部への放火や小動物の侵入を確実に防止可能な床暖房装置用室外機を提供することである。
【課題を解決するための手段】
【０００８】
第１の発明に係る床暖房装置用室外機は、複数の床温調パネルとの間で温調水を循環させるための配管が接続される接続部を内部に有し、接続部に接続された配管を外部へ取り出すための取出口が形成された筐体と、筐体の取出口の周辺に配置され、配管を通過させるための配管押え板と、筐体の取出口の周辺に配置され、配管押え板と共に取出口を覆うカバー部材とを備えており、配管押え板は、互いに異なる大きさの複数の切り欠き部を有しており、カバー部材は、複数の切り欠き部のうちで配管が通過しない切り欠き部を閉塞するように構成されている。
【０００９】
この床暖房装置用室外機では、配管押え板は、互いに異なる大きさの複数の切り欠き部を有しているため、配管の本数に応じた切り欠き部に配管群を通過させることができる。そして、カバー部材は、配管が通過しない切り欠き部を閉塞するように構成されているため、室外機内部への放火や小動物の侵入を確実に防止できる。
【００１０】
第２の発明に係る床暖房装置用室外機では、第１の発明に係る床暖房装置用室外機において、配管押え板は、矩形状であって、その一端及び一端と対向した他端には、それぞれ、切り欠き部が形成されると共に筐体に対して取り付けるための取り付け部が形成されている。
【００１１】
この床暖房装置用室外機では、配管押え板は、その一端及び一端と対向した他端に、それぞれ切り欠き部が形成されているため、通過させる配管の本数に応じて切り欠き部を２通りに使い分けることができる。そして、配管押え板を筐体に取り付けた後、この配管押え板に配管を通過させ、配管押え板にカバー部材を被せる手順で配管施工を行えば、配管施工の自由度が増し、配管施工を簡単に実現できる。
【００１２】
第３の発明に係る床暖房装置用室外機では、第１の発明に係る床暖房装置用室外機において、配管押え板は、正方形状であって、その４つの端部には、それぞれ、切り欠き部が形成されると共に筐体に取り付けるための取り付け部が形成されている。
【００１３】
この床暖房装置用室外機では、配管押え板は、その４つの端部に、それぞれ切り欠き部が形成されているため、通過させる配管の本数に応じて切り欠き部を４通りに使い分けることができる。そして、配管押え板を筐体に取り付けた後、この配管押え板に配管を通過させ、配管押え板にカバー部材を被せる手順で配管施工を行えば、第２の発明に比して配管施工の自由度が増し、配管施工をより簡単に実現できる。
【発明の効果】
【００１４】
以上の説明に述べたように、本発明によれば、以下の効果が得られる。
【００１５】
第１の発明では、配管押え板は、互いに異なる大きさの複数の切り欠き部を有しているため、配管の本数に応じた切り欠き部を通して配管群を通過させることができる。また、カバー部材は、配管が通過しない切り欠き部を閉塞するように構成されているため、室外機内部への放火や小動物の侵入を確実に防止できる。
【００１６】
また、第２の発明では、配管押え板は、その一端及び一端と対向した他端に、それぞれ切り欠き部が形成されているため、通過させる配管の本数に応じて切り欠き部を２通りに使い分けることができる。そして、配管押え板を筐体に取り付けた後、この配管押え板に配管を通過させ、配管押え板にカバー部材を被せる手順で配管施工を行えば、配管施工の自由度が増し、配管施工を簡単に実現できる。
【００１７】
また、第３の発明では、配管押え板は、その４つの端部に、それぞれ切り欠き部が形成されているため、通過させる配管の本数に応じて切り欠き部を４通りに使い分けることができる。そして、配管押え板を筐体に取り付けた後、この配管押え板に配管を通過させ、配管押え板にカバー部材を被せる手順で配管施工を行えば、第２の発明に比して配管施工の自由度が増し、配管施工をより簡単に実現できる。
る。
【発明を実施するための最良の形態】
【００１８】
（第１実施形態）
以下、図面に基づいて、本発明の第１実施形態の床暖房装置用室外機について説明する。図１は、本発明の第１実施形態に係る床暖房装置用室外機を適用した温調システムの水系統及び冷媒系統を示す回路図である。まず、図１における回路図の床温調装置の水系統について説明する。
【００１９】
床暖房装置用室外機１は、空気調和ユニット１７と温調水ユニット５０を有している。空気調和ユニット１７には、室内機１８と温調水ユニット５０が並列に接続されている。空気調和機は、空気調和ユニット１７と室内機１８で構成される。床温調装置は、家屋の床面に配置された床温調パネル２や、空気調和ユニット１７及び温調水ユニット５０等で構成される。
【００２０】
床温調パネル２及び温調水ユニット５０は、温調水往き配管（以下、「往き配管」と略記する）３ａと温調水戻り配管（以下、「戻り配管」と略記する）３ｂとから成る温調水配管群３によって接続される。この温調水配管群３を通して、温調水ユニット５０と床温調パネル２との間に、循環液８を循環及び供給するための水循環経路が形成される。
【００２１】
温調水ユニット５０は、機械室５０ａ及びヘッダ室５０ｂを有している。機械室５０ａは、簡易密閉型の膨張タンク７、循環ポンプ９、水熱交換器１６及び電装品３３を有している。水熱交換器１６は、機械室５０ａの内壁に沿って長円ドーナツ形状に巻回しされる。ヘッダ室５０ｂは、往きヘッダ４、戻りヘッダ６を有している。詳細に説明すると、機械室５０ａにおける膨張タンク７の底部には往き管１０が接続されており、その先端が循環ポンプ９を介してヘッダ室５０ｂの往きヘッダ４に接続されている。
【００２２】
往きヘッダ４は、ヘッダ本体４ａと、そのヘッダ本体４ａの長手方向の一端部に形成される主管接続部４ｂと、ヘッダ本体４ａの外周面において長手方向に沿って並設される複数の分岐管接続部４ｃ（接続部）を有している。主管接続部４ｂには、往き管１０が接続され、各分岐管接続部４ｃに床温調パネル２へと通じる往き配管３ａの一端が接続される。
【００２３】
一方、往き配管３ａの他端は、床温調パネル２に形成された蛇行形状の温調水循環パイプ１１の一端の接続部１１ａに接続されている。従って、膨張タンク７内の循環液８は、循環ポンプ９の作動によって往き管１０に供給され、さらに往きヘッダ４で複数本の往き配管３ａに分流されて、各床温調パネル２へと供給される。
【００２４】
そして、ヘッダ本体４ａの内部には、各分岐管接続部４ｃに対応して複数の熱動弁１５が設けられており、各分岐管接続部４ｃに流れ込む循環液８の流路を開放または遮断している。なお、図１では、図面の簡略化のために、熱動弁１５を往きヘッダ４の外部に記載している。
【００２５】
一方、床温調パネル２に形成された温調水循環パイプ１１の他端の接続部１１ａには、戻り配管３ｂが接続されており、その先端には戻りヘッダ６が接続されている。戻りヘッダ６は、往きヘッダ４と同様に、ヘッダ本体６ａと、そのヘッダ本体６ａの長手方向の一端部に形成される主管接続部６ｂと、そのヘッダ本体の外周面において長手方向に並設される複数の分岐管接続部６ｃ（接続部）とから成り、各分岐管接続部６ｃに戻り配管３ｂが接続されると共に、主管接続部６ｂに戻り管１２が接続される。
【００２６】
また、戻り管１２と膨張タンク７とは熱交換路１３によって接続されているが、この熱交換路１３は、以下に述べる冷媒回路の凝縮器又は蒸発器として機能する水熱交換器１６と熱交換可能に設けられている。これにより、水熱交換器１６において、戻り管１２から返流される循環液８が加熱又は冷却される。そして、この熱交換路１３の先端が膨張タンク７の底部に接続されている。
【００２７】
これにより、床温調パネル２の温調水循環パイプ１１を流通した循環液８は、戻り配管３ｂを通って戻りヘッダ６に流入し、この戻りヘッダ６によって各戻り配管３ｂを流通する循環液８が合流されて戻り管１２に供給され、さらに熱交換路１３で加熱された後、膨張タンク７に供給される。なお、戻り管１２には、戻り温度検知サーミスタ３５ａが、膨張タンク７の直前の熱交換路１３には、往き温度検知サーミスタ３５ｂが、水熱交換器１６には、水熱交温度検知サーミスタ３６が取り付けられている。
【００２８】
次に、図１を参照して、冷媒系統について説明する。なお、以下においては、暖房運転時を例にしてその説明を行っている。本実施形態では、循環液８の加熱に水熱交換器１６を使用し、この水熱交換器１６と、マルチ型ヒートポンプシステムの空気調和ユニット１７の室外熱交換器１９との間で冷媒循環回路を構成して、熱交換路１３を流れる循環液８を加熱するようにしている。また、図１に示すように、このヒートポンプシステムの空気調和ユニット１７に接続された１台の室内機１８を備えており、空気調和ユニット１７と室内機１８とによって空気調和機を構成している。
【００２９】
この空気調和機では、冷媒が循環する順序で、圧縮機２１、室内ファン２０ａを付設した室内熱交換器２０、減圧機構２２、室外ファン１９ａを付設した室外熱交換器１９を接続して冷媒循環回路を構成している。より詳しく説明すると、圧縮機２１の吐出管２１ａと吸入管２１ｂとが四路切換弁２３の１次ポートに接続されており、吸込管２１ｂにアキュムレータ３１が介設される一方、吐出管２１ａには、吐出管温度検知サーミスタ３８が付設されている。
【００３０】
また、四路切換弁２３の一対の２次ポート間には、第１ガス管２４ａ、室内熱交換器２０、第１液管２４ｂ、減圧機構２２、第２液管２４ｃ、室外熱交換器１９及び第２ガス管２４ｄが、順番に環状に接続されている。このとき、室内熱交換器２０と室外熱交換器１９には、それぞれ室内熱交温度検知サーミスタ４３と室外熱交温度検知サーミスタ４１とが付設されており、さらに室内機１８と空気調和ユニット１７には、室内温度検知サーミスタ４４と外気温度検知サーミスタ４２とがそれぞれ取り付けられている。
【００３１】
また、第１液管２４ｂには、ヘッダ２６が介設されており、このヘッダ２６と室内熱交換器２０とを結ぶ間の部分が連絡配管２５の液管２５ａとなる。同様に第１ガス管２４ａにも、ヘッダ２７が介設されており、このヘッダ２７と室内熱交換器２０とを結ぶ間の部分が連絡配管２５のガス管２５ｂとなる。
【００３２】
そして、ヘッダ２６に接続されたもう１つの連絡配管２８である液管２８ａが、温調水ユニット５０の水熱交換器１６の一端に接続され、またヘッダ２７に接続されたもう１つの連絡配管２８であるガス管２８ｂが、水熱交換器１６の他端に接続されている。これによって、四路切換弁２３には室外熱交換器１９、減圧機構２２、温調水ユニット５０の水熱交換器１６が環状に接続されることになる。
【００３３】
また、連絡配管２５、２８の各液管２５ａ、２８ａはそれぞれ電動膨張弁２９、３０を介してヘッダ２６に接続されており、この電動膨張弁２９、３０の開閉を適宜制御することによって、室内機１８及び温調水ユニット５０の両方に供給する冷媒量を制御できるように成っている。ここで、液管２５ａの室内機１８側と、液管２８ａの温調水ユニット５０側には、それぞれ液管温度検知サーミスタ３９、３７が付設されており、ガス管２５ｂ、２８ｂの空気調和ユニット１７側には、それぞれガス管温度検知サーミスタ４０ａ、４０ｂが付設されている。
【００３４】
なお、空気調和ユニット１７に設けた電装品３２には、電源から例えば２００Ｖ、２０Ａの電力が供給され、空気調和ユニット１７内の電気的制御が行われる。また、床温調装置には、室内の冷暖房運転の開始や停止等の操作を行うためのワイヤレスリモコン４５と、床の冷暖房に対して同様の操作を行うためのワイヤードリモコン４６とがそれぞれ設けられている。なお、これらのリモコン４５、４６によって、利用者が希望する室温や床温等の設定も行われる。
【００３５】
さらに、この空気調和ユニット１７の電装品３２と室内機１８に設けた電装品３４、及び空気調和ユニット１７の電装品３２と温調水ユニット５０に設けた電装品３３とは、それぞれ信号または電源線で接続されている。このため、空気調和機と温調水ユニット５０とを連動させる設定が利用者によって行われると、例えばワイヤレスリモコン４５における運転開始操作で、空気調和機と温調水ユニット５０とを併用した運転を開始させることも可能である。
【００３６】
図２は、床暖房装置用室外機１の斜視図である。略直方体状に形成された床暖房装置用室外機１では、温調水ユニット５０が空気調和ユニット１７の上部に載置されている。また、床暖房装置用室外機１の筐体５１内部は、天板５２、前板５３、５４、側板５５、５６、後板５７、矩形状の配管押え板５８（図３参照）及びカバー部材５９で覆われている。
【００３７】
図３は、図２に示した筐体５１からカバー部材５９を取り外した状態を示している。筐体５１は、温調水配管群３（往き配管３ａ及び戻り配管３ｂ）を外部へ取り出すための取出口５１ａを有している。
【００３８】
配管押え板５８は、その一端５８ａ及び一端５８ａと対向した他端５８ｂに、それぞれ、大きさが互いに異なる切り欠き部６０、６１を有している。切り欠き部６０の大きさは、例えば、配管８本分に合わせて予め設計されている。一方、切り欠き部６１の大きさは、例えば、配管２本分に合わせて予め設計されている。また、配管押え板５８は、筐体５１に取り付けるための取り付け部６２、６３を有している。
【００３９】
配管押え板５８と共に取出口５１ａを覆うカバー部材５９は、切り欠き部６０、６１のいずれかを介して温調水配管群３を通過させる開口部５９ａと、切り欠き部６０、６１のうちで温調水配管群３が通過しない切り欠き部を閉塞する閉塞する閉塞部５９ｂと、取り付け部６２、６３のいずれかに取り付けるための取り付け部５９ｃを有している。
【００４０】
図４は、図３に示した筐体５１から天板５２、側板５５及び配管押え板５８を取り外した状態を示している。機械室５０ａには、簡易密閉型の膨張タンク７や循環ポンプ９が設けられている。ヘッダ室５０ｂには、往き配管３ａ及び戻り配管３ｂにそれぞれ接続される往きヘッダ４及び戻りヘッダ６が設けられている。
【００４１】
図５は、切り欠き部６０に温調水配管群３を通過させた状態を示している。図５（ａ）では、８本の配管で構成された温調水配管群３を取り出すために、配管押え板５８が、取り付け部６２を介して筐体５１に取り付けられた状態を示す。また、カバー部材５９は、取り付け部５９ｃを介して配管押え板５８の取り付け部６３（図３参照）に取り付けられている。温調水配管群３が通過しない切り欠き部６１は、カバー部材５９の閉塞部５９ｂによって塞がれている。したがって、温調水配管群３を配管本数に合わせた切り欠き部６０に通過させることができると共に、切り欠き部６１を閉塞部５９ｂ（図３参照）で閉塞できる。このため、筐体５１内部への放火や小動物の侵入を確実に防止できる。
【００４２】
図５（ｂ）は、図５（ａ）に示した配管押え板５８を、その長手方向と直行する方向に対して１８０度反転させた状態を示している。この状態では、２本の配管で構成された温調水配管群３を取り出すために、配管押え板５８が、取り付け部６３を介して筐体５１に取り付けられている。また、カバー部材５９は、取り付け部５９ｃを介して配管押え板５８の取り付け部６２（図３参照）に取り付けられている。また、温調水配管群３が通過しない切り欠き部６０は、閉塞部５９ｂによって塞がれている。したがって、図５（ａ）と同様に、温調水配管群３を配管本数に合わせた切り欠き部６１に通過させることができると共に、切り欠き部６０を閉塞部５９ｂ（図３参照）で閉塞できる。このため、筐体５１内部への放火や小動物の侵入を確実に防止できる。
【００４３】
以上、第１実施形態では、温調水配管群３を配管本数に合わせた切り欠き部６０、６１に通過させることができる。また、温調水配管群３が通過しない切り欠き部を閉塞部５９ｂで閉塞できる。このため、筐体５１内部への放火や小動物の侵入を確実に防止できる。さらに、配管本数に応じて切り欠き部を２通りに使い分けることができるため、配管施工の自由度が増し、配管施工を簡単に実現できる。
【００４４】
（第２実施形態）
図６は、本発明の第２実施形態の床暖房装置用室外機の配管押え板及びカバー部材を示している。第１実施形態（図１〜図５）で説明した要素と同一の要素については、詳細な説明を省略する。この実施形態では、配管押え板６４が正方形状に形成され、その４つの端部に、大きさが互いに異なる切り欠き部６５、６６、６７、６８がそれぞれ形成されると共に、筐体５１に取り付けるための取り付け部６９、７０、７１、７２がそれぞれ形成される点、カバー部材７３が、配管押え板６４と共に取出口５１ａを覆うために設けられ、切り欠き部６５、６６、６７、６８のいずれかを介して温調水配管群３を通過させる開口部７３ａと、切り欠き部６５、６６、６７、６８のうちで温調水配管群３が通過しない切り欠き部を閉塞する閉塞部７３ｂと、取り付け部６９、７０、７１、７２のいずれかに取り付けるための取り付け部７３ｃとを有している点で、第１実施形態と相違する。その他の構成は、第１実施形態と同じである。
【００４５】
この例では、切り欠き部６５、６６、６７、６８の大きさは、それぞれ、配管８本分、配管６本分、配管４本分、配管２本分に合わせて予め設計されている。
【００４６】
以上、第２実施形態では、第１実施形態と同様の効果を得ることができる。さらに、配管押え板６４が切り欠き部６５、６６、６７、６８を有しているため、配管本数に応じて切り欠き部を４通りに使い分けることができる。このため、第１実施形態に比して配管施工の自由度が増し、配管施工をより簡単に実現できる。
【００４７】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味及び範囲内でのすべての変更が含まれる。
【００４８】
なお、第２実施形態では、４つの切り欠き部６５、６６、６７、６８の大きさが、それぞれ、配管８本分、配管６本分、配管４本分、配管２本分に合わせて予め設計されている例について述べた。本発明はかかる実施形態に限定されるものではない。例えば、配管１０本分に合わせて設計されてもよい。また、配管押え板６４に５つ以上の切り欠き部が形成されてもよい。また、切り欠き部の形状は本実施形態に限定されるものではない。
【産業上の利用可能性】
【００４９】
本発明を利用すれば、居室の床に敷設された床温調パネルとの間で配管を介して温調水を循環させる床暖房装置用室外機であって、筐体内部への放火や小動物の侵入を確実に防止可能な床暖房装置用室外機を得ることができる。
【図面の簡単な説明】
【００５０】
【図１】本発明の第１実施形態に係る床暖房装置用室外機を適用した温調システムの水系統及び冷媒系統を示す回路図である。
【図２】床暖房装置用室外機の斜視図である。
【図３】図２に示した筐体からカバー部材を取り外した状態を示す説明図である。
【図４】図３に示した筐体から天板、側板及び配管押え板を取り外した状態を示す説明図である。
【図５】切り欠き部に温調水配管群を通過させた状態を示す説明図である。
【図６】本発明の第２実施形態の床暖房装置用室外機の配管押え板及びカバー部材を示す説明図である。
【符号の説明】
【００５１】
１  床暖房装置用室外機
２  床温調パネル
３ａ  調温水往き配管（往き配管）
３ｂ  調温水戻り配管（戻り配管）
４ｃ、６ｃ  分岐管接続部（接続部）
５１  筐体
５１ａ  取出口
５８、６４  配管押え板
５８ａ  一端
５８ｂ  他端
５９、７３  カバー部材
５９ａ、７３ａ  開口部
５９ｂ、７３ｂ  閉塞部
６０、６１、６５、６６、６７、６８  切り欠き部
６２、６３、６９、７０、７１、７２  取り付け部
【図１】
2009299973.tif 000003
【図２】
2009299973.tif 000004
【図３】
2009299973.tif 000005
【図４】
2009299973.tif 000006
【図５】
2009299973.tif 000007
【図６】
2009299973.tif 000008